(57)【要約】
【課題】  組み立てが容易で、電気製品内への塵埃などの侵入を防止できる安価な電気スイッチを提供する。
【解決手段】  本考案の電気スイッチは、カバー体３０を有する電気製品に用いられ、一側に通電の開閉を可能にしたスイッチ操作部材２０が揺動可能に枢設された筐体１０を有し、前記スイッチ操作部材２０の上面が電気製品のカバー体３０に形成される開口３１上面に露出状態に配設された電気スイッチであって、前記筐体１０のスイッチ操作部材２０側の一対の周縁にはそれぞれ外方へ延出する連結片１４が一体に成形され、該連結片１４にはボルト１５を締着して電気製品を固定するための貫通孔１４１が形成されると共に、スイッチ操作部材２０の下部外周縁には電気製品のカバー体３０の開口３１より大きい鍔部２１が延設された構成とした。
【選択図】  図３
0003100703.tif 000002
【実用新案登録請求の範囲】
【請求項１】
カバー体３０を有する電気製品に用いられ、一側に通電の開閉を可能にしたスイッチ操作部材２０が揺動可能に枢設された筐体１０を有し、前記スイッチ操作部材２０の上面が電気製品のカバー体３０に形成される開口３１上面に露出状態に配設された電気スイッチであって、
前記筐体１０のスイッチ操作部材２０側の一対の周縁にはそれぞれ外方へ延出する連結片１４が一体に成形され、該連結片１４にはボルト１５を締着して電気製品を固定するための貫通孔１４１が形成されると共に、スイッチ操作部材２０の下部外周縁には電気製品のカバー体３０の開口３１より大きい鍔部２１が延設されたことを特徴とする電気スイッチ。
【考案の詳細な説明】
【技術分野】
【０００１】
本考案は、電気製品に使用される電気スイッチに関するものである。
【背景技術】
【０００２】
図４に示すように、従来の電気スイッチ１００は、筐体４０を有し該筐体４０の一側にスイッチ操作部材４１が揺動可能に枢設されると共に、他側にピン４２が設けられ、更に、筐体４０におけるスイッチ操作部材４１が設けられる端部周縁に突設縁４３が延設されると共に、筐体４０の対向する二つの外周壁にそれぞれ可撓性を有する弾性係止片４４が設けられている。
前記電気スイッチ１００を電気製品に設置するために、前記構成に加えプレート状の固定部材５０が設けられ、その固定部材５０上には前記筐体４０を設置するための開口５１が形成されるている。
そして、筐体４０が開口５１に設置されると、筐体４０から突出する突設縁４３部が、前記固定部材５０の表面に当接して係止されると共に、両外周壁に設けた弾性係止片４４の先端部分が固定部材５０の底部側より嵌合孔に係止され、それにより筐体４０が固定部材５０上に保持固定される。    
【０００３】
更に、前記固定部材５０の対向し合う二つの外周縁部にはそれぞれ雌ネジを有する貫通孔５２が形成され、その貫通孔５２にボルト５３が螺着され前記筐体４０と固定部材５０とが結合されるようになっている。
その後、図５に示すように、電気製品のカバー体６０によりスイッチ操作部材４１を除いた部分がカバーされ、カバー体６０の表面側には前記スイッチ操作部材４１が露出され、電気製品（図示せず）内に前記電気スイッチ１００が組付けされるようになっている。
【考案の開示】
【考案が解決しようとする課題】
【０００４】
しかるに、前記従来の電気スイッチ１００は、筐体４０と固定部材５０とをそれぞれ別個に製造していたため、それれぞれの金型を必要とし、製造コストが増加する結果につながる。
【０００５】
また、組立て時には、先ずスイッチ操作部材４１含む筐体４０を固定部材５０に組付けしてから、前記固定部材５０を電気製品に取り付ける必要があるので、組み立てが非常に面倒である。
更に、図５に示すように、スイッチ操作部材４１の周縁には鍔部が設けられていないことから、スイッチ操作部材４１と電気製品のカバー体６０との間に隙間ができてしまうので、電気製品内部に塵埃などが侵入してしまう問題がある。
【課題を解決するための手段】
【０００６】
本考案は、、カバー体３０を有する電気製品に用いられ、一側に通電の開閉を可能にしたスイッチ操作部材２０が揺動可能に枢設された筐体１０を有し、前記スイッチ操作部材２０の上面が電気製品のカバー体３０に形成される開口３１上面に露出状態に配設された電気スイッチであって、前記筐体１０のスイッチ操作部材２０側の一対の周縁にはそれぞれ外方へ延出する連結片１４が一体に成形され、該連結片１４にはボルト１５を締着して電気製品を固定するための貫通孔１４１が形成されると共に、スイッチ操作部材２０の下部外周縁には電気製品のカバー体３０の開口３１より大きい鍔部２１が延設された構成とした電気スイッチを提供する。
【考案の効果】
【０００７】
本考案の電気スイッチは、上述したように、スイッチ操作部材２０の上面が電気製品のカバー体３０に形成される開口３１上面に露出状態に配設された電気スイッチであって、前記筐体１０のスイッチ操作部材２０側の一対の周縁にはそれぞれ外方へ延出する連結片１４が一体に成形され、該連結片１４にはボルト１５を締着して電気製品を固定するための貫通孔１４１が形成されると共に、スイッチ操作部材２０の下部外周縁には電気製品のカバー体３０の開口３１より大きい鍔部２１が延設された構成としたので、従来の電気スイッチのように、筐体と固定部材とをそれぞれ別個に製造する必要はなく、単に筐体における連結片を直接に電気製品上に固定すればよいため、組み立てが容易になるだけでなく、コストダウンも図れる。更に、スイッチ操作部材には鍔部が設けられるので、電気製品内への塵埃などの侵入を防止できる。
【考案を実施するための最良の形態】
【０００８】
以下、添付図面を参照して本考案の好適な実施の形態を詳細に説明する。
【実施例】
【０００９】
図１は本考案に係る電気スイッチの分解斜視図であり、図２は本考案に係る電気スイッチの組み立て後の状態を示す斜視図であり、図３は本考案に係る電気スイッチを電気製品のカバー体の開口部に取り付けた状態を示す斜視図である。
【００１０】
図１及び図２に示すように、本考案の電気スイッチ２００は、中空矩形状の筐体１０及び通電の開閉を行なうスイッチ操作部材２０を有し、該筐体１０の一側（底部側）に導電ピン１１が突設されると共に、他側（上部側）に収容空間１２が形成されており、前記スイッチ操作部材２０は前記収容空間１２の開口端上に揺動自在に枢設されている。また、前記筐体１０の開口外周縁には外側へ延出する突出縁１３が設けられ、その内の対向する一対の突出縁１３にはそれぞれ連結片１４が設けられ、この一対の連結片１４には、それぞれボルト１５を螺着することにより電気スイッチ２００を電気製品に取り付けるための内面に雌ネジを有する貫通孔１４１が形成されている。
【００１１】
また、図３に示すように、電気製品のカバー体３０には、スイッチ操作部材２０平面積より大きな開口３１を有し、前記スイッチ操作部材２０を除いた部分がカバーされ、カバー体３０の表面側には前記スイッチ操作部材２０上面が露出され、電気製品（図示せず）内に前記電気スイッチ２００が組付けされるようになっている。
【００１２】
また、前記スイッチ操作部材２０下部外周縁には、筐体１０の外周縁に対応して外側へ延出する鍔部２１が設けられ、その鍔部２１の外周を電気製品の前記カバー体３０の開口３１より大きくすることにより、該開口３１に配設したスイッチ操作部２０の外周壁面と前記カバー体３０の開口３１内周面間に生じる隙間を底部側より塞いで電気製品内への塵埃などの進入を防止する。
【図面の簡単な説明】
【００１３】
【図１】本考案に係る電気スイッチの実施例を示す分解斜視図である。
【図２】本考案に係る電気スイッチの組み立て後の状態を示す斜視図である。
【図３】本考案に係る電気スイッチを電気製品のカバー体上に取り付けた状態を示す斜視図である。
【図４】従来の電気スイッチ分解斜視図である。
【図５】従来の電気スイッチを電気製品のカバー体上に取り付けた状態を示す斜視図である。
【符号の説明】
【００１４】
１０        筐体
１１        導電ピン
１２        収容空間
１３        突出縁
１４        連結片
１４１      貫通孔
１５        ボルト
２０        スイッチ操作部材
２１        鍔部
３０        電気製品のカバー体
３１        開口
４０        筐体
４１        スイッチ操作部材
４２        導電ピン
４３        突出縁
４４        弾性係止片
５０        固定部材
５１        開口
５２        貫通孔
５３        ボルト
６０        電気製品のカバー体
【図１】
0003100703.tif 000003
【図２】
0003100703.tif 000004
【図３】
0003100703.tif 000005
【図４】
0003100703.tif 000006
【図５】
0003100703.tif 000007